(57)【特許請求の範囲】
【請求項１】
上胴縁および下胴縁間に面材を組み込んだ面材ユニット同士のコーナー部分に設けられるフェンスのコーナー継手において、
前記上胴縁同士を連結する上胴縁用コーナー継手と、前記下胴縁同士を連結する下胴縁用コーナー継手とを備え、
前記上胴縁用コーナー継手は、鉛直軸を中心に回動自在に構成された左右２つの継手要素から成る上胴縁継手本体と、当該上胴縁継手本体の両端に延設され隣接する前記上胴縁がそれぞれ接合される一対の上胴縁接合部とを有し、
前記下胴縁用コーナー継手は、鉛直軸を中心に回動自在に構成された左右２つの継手要素から成る下胴縁継手本体と、当該下胴縁継手本体の両端に延設され隣接する下胴縁がそれぞれ接合される一対の下胴縁接合部とを有し、
前記上胴縁継手本体の上面には前記鉛直軸を中心とする凸部が形成され、前記下胴縁継手本体の下面には前記鉛直軸を中心とする凹部が形成され、
前記下胴縁用コーナー継手と前記上胴縁用コーナー継手とは、上下に重ねて設置した状態で前記凹部と前記凸部とが上下にオーバーラップして係合することを特徴とするフェンスのコーナー継手。
【請求項２】
前記凸部は冠球状に形成され、前記凹部は前記凸部と相補的形状に形成されていることを特徴とする請求項１に記載のフェンスのコーナー継手。
【請求項３】
請求項１または請求項２に記載のフェンスのコーナー継手の２組を、２組の前記面材ユニットを上下に重ねて構成したフェンス体同士の連結部分に備えたことを特徴とするフェンス。
【発明の詳細な説明】
【０００１】
【発明の属する技術分野】
本発明は、上胴縁および下胴縁間に面材を組み込んだ面材ユニット同士のコーナー部分に設けられるフェンスのコーナー継手およびこれを備えたフェンスに関する。
【０００２】
【従来の技術】
図５および図６は、面材ユニット１０３を上下に重ねて構成した従来のフェンス１０１における重なり部分に設けたコーナー継手１０８である。両図に示すように、このフェンス１０１のコーナー継手１０８は、上側の面材ユニット１０３の下胴縁１０５同士を連結する下胴縁用コーナー継手１１０と、下側の面材ユニット１０３の上胴縁１０４に取り付けられた上胴縁用コーナー継手１０９に加え、これらの上下の両継手１０９，１１０を繋ぐと共に継手の隙間を隠す左右一対の覆装板１１１ｌ，１１１ｒと、両継手１０９，１１０の中心部の隙間を埋める円柱状のスペーサー１１２とで構成されている。この場合、上下両コーナー継手１０９，１１０の重なり部分では、上記のスペーサー１１２により光漏れが防止されている。同様に、上下両胴縁１０４，１０５の重なり部分では、図示では省略しているが、長尺板状のスペーサを介設することで、下胴縁１０５と上胴縁１０４との重なり部分の光漏れが防止されている。なお、図示では省略したが、上側の面材ユニット１０３の上胴縁１０４の連結部分には、上記の上胴縁用コーナー継手１０９が介設され、下側の面材ユニット１０３の下胴縁１０５の連結部分には、上記の下胴縁用コーナー継手１１０が介設されている。
【０００３】
【発明が解決しようとする課題】
このような従来のフェンスのコーナー継手１０８では、下胴縁用コーナー継手１１０と上胴縁用コーナー継手１０９との重なり部分では、両者間の隙間を埋めるためにスペーサー１１２など別部材を介設する必要があり、部品点数および組付工数が増す問題があった。同様に、下胴縁１０５と上胴縁１０４との重なり部分でも、両者間の隙間を埋めるためにスペーサーなど別部材を介設する必要があり、部品点数および組付工数が増す問題があった。
【０００４】
本発明は、フェンスを構成する面材ユニットを複数段に重ねて設置する場合でも、簡単に施工することができ、且つ光り漏れが生ずることのないフェンスのコーナー継手およびこれを備えたフェンスを提供することをその目的としている。
【０００５】
【課題を解決するための手段】
上記目的を達成すべく本発明のフェンスのコーナー継手は、上胴縁および下胴縁間に面材を組み込んだ面材ユニット同士のコーナー部分に設けられるフェンスのコーナー継手において、上胴縁同士を連結する上胴縁用コーナー継手と、下胴縁同士を連結する下胴縁用コーナー継手とを備え、上胴縁用コーナー継手は、鉛直軸を中心に回動自在に構成された左右２つの継手要素から成る上胴縁継手本体と、上胴縁継手本体の両端に延設され隣接する上胴縁がそれぞれ接合される一対の上胴縁接合部とを有し、下胴縁用コーナー継手は、鉛直軸を中心に回動自在に構成された左右２つの継手要素から成る下胴縁継手本体と、下胴縁継手本体の両端に延設され隣接する下胴縁がそれぞれ接合される一対の下胴縁接合部とを有し、上胴縁継手本体の上面には鉛直軸を中心とする凸部が形成され、下胴縁継手本体の下面には鉛直軸を中心とする凹部が形成され、下胴縁用コーナー継手と上胴縁用コーナー継手とは、上下に重ねて設置した状態で凹部と凸部とが上下にオーバーラップして係合することを特徴とする。
【０００６】
この構成によれば、コーナー継手を、面材ユニットの重なり部分における下胴縁同士を連結する下胴縁用コーナー継手と、上胴縁同士を連結する上胴縁用コーナー継手とで構成し、上胴縁用コーナー継手の上面には鉛直軸を中心とする凸部が形成され、これに対応して下胴縁用コーナー継手の下面には鉛直軸を中心とする凹部が形成されているため、下胴縁用コーナー継手の凹部と上胴縁用コーナー継手の凸部とがオーバーラップするように重なり合う。このため、両者の間に別部材を取り付けることなく、接合部分の隙間を隠すことができる。また、コーナー継手は、上胴縁用コーナー継手および下胴縁用コーナー継手の２つの部材のみで構成されているため、施工が簡単となる。一方、上胴縁用コーナー継手を単独で用いた場合には、その凸部が雨水を下方に円滑に流下させる水返し的な機能を奏し、また下胴縁用コーナー継手を単独で用いた場合には、その凹部が雨水を下方に円滑に流下させる水切り的な機能を奏する。なお、ここにいう「面材」の語は、パネル体などの目隠しを目的とするものの他、目隠しを目的としない単なる格子体なども含む概念である。
【０００７】
この場合、凸部は冠球状に形成され、凹部は凸部と相補的形状に形成されていることが、好ましい。
【０００８】
この構成によれば、凸部は冠球状に形成され、凹部は凸部と相補的形状に形成されているため、上胴縁用コーナー継手が下胴縁用コーナー継手の上部を僅かに覆うような形状となり、外観上、接合部分を隙間なく密着し、すっきりしたデザインにすることができる。
【００１３】
本発明のフェンスは、請求項１または請求項２に記載のフェンスのコーナー継手の２組を、２組の面材ユニットを上下に重ねて構成したフェンス体同士の連結部分に備えたことを特徴とするフェンス。
【００１４】
この構成によれば、面材ユニットの重なり部分に設けた上胴縁用コーナー継手と下胴縁用コーナー継手との間には、光漏れを生ずるような間隙が生ずることがなく、且つこの部分をすっきりしたデザインにすることができる。
【００１７】
【発明の実施の形態】
以下、添付の図面を参照して、本発明の一実施形態に係るフェンスのコーナー継手およびこれを備えたフェンスについて説明する。図１は、面材ユニット３を左右上下に４枚組み合わせたフェンス１の正面図であり、これらを繋ぐ部分（斜線部）はコーナー継手８により角度変更自在に連結されている（但し図示では角度１８０°として表している）。同図に示すように、このフェンス１は、それぞれコンクリート基礎上に立設した左右一対の支柱２，２と、一対の支柱２，２により支持されたそれぞれ上下２段の面材ユニット３ａ，３ｂから成る左フェンス体１ｌおよび右フェンス体１ｒとで構成されている。４枚の面材ユニット３は同一のものであり、上下方向に２段重ねとすることで、十分な高さを有するフェンス１を構成している。
【００１８】
各面材ユニット３は、上胴縁４と下胴縁５と左右一対の縦枠６，６とで枠組みされ、この枠組内に面材（格子体）７が組み込まれている。本実施形態では、面材７として、多数の斜格子を「Ｘ」字状に連ねたラチス格子が組み込まれている。また、コーナー継手８は、上胴縁４同士を連結する上胴縁用コーナー継手９と、下胴縁５同士を連結する下胴縁用コーナー継手１０とから成り、実施形態のフェンス１のコーナー部分には、２組のコーナー継手９，１０が用いられている。
【００１９】
上胴縁４は、上面が湾曲した略矩形断面の中空部１１と、中空部の下面に垂設した取付片１２とを有し、アルミニウムの押出形材などで一体に形成されている。中空部１１の上部は、断面略円弧状に盛り上がった凸条部１１ａとなっており、柔らかいデザインに仕上げられていると共に、雨水の流下が円滑になる形状に形成されている。また、面材ユニット３，３同士の重なり部分では、この凸条部１１ａに後述する下胴縁５の凹条部１３ａが上下にオーバーラップするようにして、係合している。取付片１２は、面材７をリベット止めするためのものであり、中空部下面の見込み方向の中間位置に配設されている。
【００２０】
同様に、下胴縁５は、略矩形断面の中空部１３と、中空部１３の上面に立設した取付片１４と、中空部１３の側板を下方に延長するようにして形成した一対の脚片１５，１５とを有し、アルミニウムの押出形材などで一体に形成されている。この場合、下胴縁５の下部には、中空部１３の下面と一対の脚片１５，１５の内面とで、断面略逆「Ｕ」字状に窪んだ凹条部１３ａが形成されている。上述したように、面材ユニット３，３同士の重なり部分で、この凹条部１３ａと上記の凸条部１１ａが上下にオーバーラップして、胴縁４，５同士の光漏れが防止されるようになっている。また、凹条部１３ａを構成する一対の脚片１５，１５は、水切り部材として機能している。
【００２１】
一方、取付片１４は、面材７をリベット止めするためのものであり、中空部下面の見込み方向の中間位置に配設されている。なお、これら上胴縁４および下胴縁５は同幅に形成されており、取付け部１７と、取付け部１７から前方に延びる突出部１８と、上胴縁４および下胴縁５を同時に保持する保持部１９とから成る保持金具１６により支柱２にねじ止めされている（図２参照）。このように、保持金具１６を介設した状態で、上胴縁４と下胴縁５とは、その凹条部１３ａの下端部とその凸条部１１ａの頂部とが、わずかにオーバーラップしている。
【００２２】
縦枠６は、面材７の側端部を呑み込むよう、内向き断面略「コ」字状の呑込み溝を有しており、アルミニウムの押出形材などで一体に形成されている。縦枠６の上下の端部には、上下各胴縁４，５の取付片１２，１４をねじ止めするためのばか孔がそれぞれ形成されており、このばか孔を介して、呑込み溝に挿入した取付片１２，１４を貫通するように螺合した取付ねじにより、各胴縁４，５が縦枠６に固定される。この場合、呑込み溝の溝底に上下各胴縁４，５の取付片１２，１４を突き当てられ、いわゆる胴縁通しで縦枠６と両胴縁４，５とが枠組みされ、且つ、後述する面材７の側端部も、この呑込み溝の溝底に突き当てるようにして呑み込まれる。
【００２３】
面材７を構成する各斜格子は、いずれも押出形材などで断面略「コ」字状に形成した嵌合部材と嵌合受け部材とで構成され、嵌合受け部材に対し嵌合部材を押縁形式（スナップイン）で組み合わせるようになっている。嵌合受け部材の上下の端部には、取付片１２，１４とリベット接合するためのリベット孔がそれぞれ形成されている。斜格子のうち、向かって正面から右下がりに取り付けられる右下がり斜格子と、向かって正面から左下がりに取り付けられる左下がり斜格子とは、上下各胴縁４，５の取付片１２，１４を挟み込んでこれに固定されている。
【００２４】
次に、図２ないし図４を参照して、コーナー継手８について詳述する。図２は、上下の面材ユニット３ａ，３ｂの重なり部分同士を連結するコーナー継手８を表しており、この部分では、上側に下胴縁用コーナー継手１０が、下側に上胴縁用コーナー継手９が重なるように且つ同軸上に配設されている。下胴縁用コーナー継手１０は上側の面材ユニット３ａの下胴縁５同士を角度調整自在に連結し、上胴縁用コーナー継手９は下側の面材ユニット３ｂの上胴縁４同士を角度調整自在に連結している。
【００２５】
図２および図３に示すように、下胴縁用コーナー継手１０は、左継手本体２１ｌおよび右継手本体２１ｒを回動自在に組み合わせて成る下胴縁継手本体２１と、左継手本体２１ｌおよび右継手本体２１ｒから左右にそれぞれ延設された一対の下胴縁接合部２２ｌ，２２ｒとで構成されている。左継手本体２１ｌおよび右継手本体２１ｒは、いずれも円柱状の軸要素部２３ｌ，２３ｒと三角柱状の連結要素部２４ｌ，２４ｒとで一体に形成され、正面視「Ｌ」字状をなしている。そして、左継手本体２１ｌおよび右継手本体２１ｒは、相互の軸要素部２３ｌ、２３ｒを重ねるように逆向きに組み合わされ、且つその中心部において、固定用ねじ２５によりねじ止めされている。
【００２６】
この場合、固定用ねじ２５は、左継手本体２１ｌが右継手本体２１ｒとを相互に締結する締結部材と、左継手本体が右継手本体とを相互に回動自在に軸支する鉛直軸部材とを兼ねている。したがって、角度調整が行われる段階では固定用ねじは緩められており、角度調整が完了した段階で締めつけられる。また、右継手本体２１ｌおよび左継手本体２１ｒの連結要素部２４ｌ，２４ｒには、後述する上胴縁用コーナー継手９と連結するための連結孔２６ｌ，２６ｒが形成されている。さらに、下胴縁継手本体２１の下面、すなわち左継手本体２１ｌの軸要素部２３ｌの下面には、上胴縁用コーナー継手９の冠球状に形成された凸部３７と相補的形状になるよう凹部２７が形成されている（図４参照）。すなわち、下胴縁５継手本体の下面には、鉛直軸部材を兼ねる固定用ねじ２５と同軸上に、冠球状の凹部２７が窪入形成されている。
【００２７】
各胴縁接合部２２ｌ，２２ｒは、それぞれ右継手本体２１ｌおよび左継手本体２１ｒと一体に形成されており、それぞれの連結要素部２４ｌ、２４ｒから直角に突出している。各胴縁接合部２２ｌ，２２ｒは左右いずれも凸形状の断面を有しており、下胴縁５の中空部１３に嵌合する。また、胴縁接合部２２ｌ，２２ｒの両側面には、嵌合した下胴縁５を胴縁接合部２２ｌ，２２ｒにねじ止めするためのねじ穴２８ｌ，２８ｒが形成されている。
【００２８】
同様に、図２および図４に示すように、上胴縁用コーナー継手９は、左継手本体３１ｌおよび右継手本体３１ｒを回動自在に組み合わせて成る上胴縁継手本体３１と、左継手本体３１ｌおよび右継手本体３１ｒから左右にそれぞれ延設された一対の上胴縁接合部３２ｌ，３２ｒとで構成されている。左継手本体３１ｌおよび右継手本体３１ｒは、いずれも円柱状の軸要素部３３ｌ，３３ｒと三角柱状の連結要素部３４ｌ，３４ｒとで一体に形成され、正面視「Ｌ」字状をなしている。そして、左継手本体３１ｌおよび右継手本体３１ｒは、相互の軸要素部３３ｌ，３３ｒを重ねるように逆向きに組み合わされ、且つその中心部において、固定用ねじ３５によりねじ止めされている。固定用ねじ３５の構成については、下胴縁用コーナー継手１０と同様である。
【００２９】
また、右継手本体３１ｒおよび左継手本体３１ｌの連結要素部３４ｌ，３４ｒには、下胴縁用コーナー継手１０と連結するための連結孔３６ｌ，３６ｒが形成されている。さらに、下胴縁継手本体２１の下面、すなわち左継手本体３１ｌの軸要素部３３ｌの上面には、前述の下胴縁用コーナー継手１０の冠球状に形成された凹部２７と相補的形状になるよう凸部３７が形成されている。すなわち、上胴縁継手本体３１の上面には、鉛直軸部材を兼ねる固定用ねじ３５と同軸上に、冠球状の凸部３７が窪入形成されている。
【００３０】
各胴縁接合部３２ｌ，３２ｒは、それぞれ右継手本体３１ｒおよび左継手本体３１ｌと一体に形成されており、それぞれの連結要素部３４ｌ，３４ｒから直角に突出している。各胴縁接合部３２ｌ，３２ｒは左右いずれも逆凸形状の断面を有しており、上胴縁４の中空部１１に嵌合する。また、胴縁接合部３２ｌ，３２ｒの両側面には、嵌合した上胴縁４を胴縁接合部３２ｌ，３２ｒにねじ止めするためのねじ穴３８ｌ，３８ｒが形成されている。
【００３１】
以上のように、これらの実施形態によれば、コーナー継手８を、面材ユニット３の重なり部分における下胴縁５同士を連結する下胴縁用コーナー継手１０と、上胴縁４同士を連結する上胴縁用コーナー継手９とで構成し、上胴縁用コーナー継手９の上面には鉛直軸を中心とする凸部３７が形成され、これに対応して下胴縁用コーナー継手１０の下面には鉛直軸を中心とする凹部２７が形成されているため、下胴縁用コーナー継手１０の凹部２７と上胴縁用コーナー継手９の凸部３７とがオーバーラップするように重なり合う。このため、両者の間に別部材（スペーサ等）を取り付けることなく、接合部分（重なり部分）の隙間を隠すことができる。また、コーナー継手８は、上胴縁用コーナー継手９および下胴縁用コーナー継手１０の２つの部材のみで構成されているため、施工が簡単となる。また、下胴縁用コーナー継手１０の凹部２７は冠球状に形成され、上胴縁用コーナー継手９の凸部３７は凹部２７と相補的形状に形成されているため、上胴縁用コーナー継手９が下胴縁用コーナー継手１０の上部を僅かに覆うような形状となり、外観上、接合部分を隙間なく密着し、すっきりしたデザインにすることができる。
【００３２】
同様に、上胴縁４と下胴縁５との重なり部分において、下胴縁５の凹条部１３ａと上胴縁４の凸条部１１ａとがオーバーラップするため、両者の間に別部材（スペーサ等）を設けることなく、接合部分（重なり部分）の隙間を隠すことができる。すなわち、面材ユニット３の重なり部分において、上下両胴縁４，５の部分はもとより、上下両胴縁用コーナー継手９，１０の部分においても、光漏れを有効に防止することができる。なお、凸条部１１ａと凹条部１３ａは、相補的形状であってもよい。
【００３３】
なお、上記の実施形態では、ラチス格子が組み込まれた面材ユニットを例に説明したが、本発明の面材ユニットに用いる面材は、単純な格子でもよく、面材の形態を問うものではない。また、実施形態では、面材ユニットを２段に積み重ねたフェンスについて説明したが、段数は自由であり（１段でも可）、且つ各段の面材が異なるものであってもよい。さらに、上下両胴縁用コーナー継手の凸部および凹部と、上下両胴縁の凸条部および凹条部とは、それぞれ断面凸および断面凹の基本形態を有する限り、その細部の形状は自由である。
【００３４】
【発明の効果】
以上のように本発明のフェンスのコーナー継手およびこれを備えたフェンスによれば、フェンスを構成する面材ユニットを複数段に重ねて設置する場合でも、簡単に施工ですることができ、且つ面材ユニットの重なり部分からの光り漏れを有効に防止することができる。
【図面の簡単な説明】
【図１】本発明の一実施形態に係る面材ユニットを上下に２段に重ねたフェンスの正面図である。
【図２】実施形態に係る上胴縁用コーナー継手と下胴縁用コーナー継手を重ね合わせた状態を示す側面図（ａ）と、その接合部分における胴縁の縦断面図（ｂ）である。
【図３】実施形態に係るフェンスの下胴縁用コーナー継手の平面図（ａ）とその側面図（ｂ）である。
【図４】実施形態に係るフェンスの上胴縁用コーナー継手の平面図（ａ）とその側面図（ｂ）である。
【図５】従来例を示すコーナー継手廻りの分解斜視図である。
【図６】従来例を示す下胴縁用コーナー継手と上胴縁用コーナー継手を重ね合わせた状態の平面図（ａ）とその側面図（ｂ）である。
【符号の説明】
１  フェンス、３  面材ユニット、４  上胴縁、５  下胴縁、９  上胴縁用コーナー継手、１０  下胴縁用コーナー継手、１１ａ  凸条部、１３ａ  凹条部、２１ｌ  左継手要素（下胴縁用）、２１ｒ  右継手要素（下胴縁用）、２２  下胴縁接合部、２７  凹部、３１ｌ  左継手要素（上胴縁用）、３１ｒ  右継手要素（上胴縁用）、３２  上胴縁接合部、３７  凸部
【図１】
0003747312.tif 000002
【図２】
0003747312.tif 000003
【図３】
0003747312.tif 000004
【図４】
0003747312.tif 000005
【図５】
0003747312.tif 000006
【図６】
0003747312.tif 000007